(57)【要約】【課題】溶断部に流れる瞬間的な突入電流による溶断部の溶断を抑制して、遅延型のヒューズとして適用できる回路保護素子を提供することを目的とする。【解決手段】内部に空間部２ａが形成された耐熱絶縁材料からなる基材部２と、両端部が基材部２内に埋設され、中間部が溶断部３ａとして空間部２ａの内部に配置された導電膜３と、基材部２の端面において導電膜３の端部に接続されている電極部４とを備えた回路保護素子において、導電膜３に流れる過電流により溶断部３ａに発生するジュール熱を放熱するフィン５等の放熱体または、渦電流を発生させる導体板または電流をバイパスさせるコンデンサを構成する２枚の電極板等の突入電流抑制要素を設けた回路保護素子。【選択図】  図１
2004158377.tif 000002
【特許請求の範囲】
【請求項１】
絶縁材料で構成された基材部と、
前記基材部に設けられ、溶断部を有する導電体と、
前記基材部の端面において前記導電体の端部に接続されている電極部とを備えた回路保護素子であって、
前記基材部中に伝熱部材を設けるとともに前記伝熱部材を前記導電体に接触させたことを特徴とする回路保護素子。
【請求項２】
前記導電体の一部は前記基材部中に設けられており、この基材部に挟まれた部分において前記導電体が前記伝熱部材と接触していることを特徴とする請求項１記載の回路保護素子。
【請求項３】
前記基材部中に空間部を設け、前記導電体において、前記空間部内に位置する部分に前記溶断部が配置され、前記空間部以外の部分は基材部中に設けられたことを特徴とする請求項２記載の回路保護素子。
【請求項４】
前記空間部内において前記溶断部は湾曲していることを特徴とする請求項３記載の回路保護素子。
【請求項５】
絶縁材料で構成された基材部と、
前記基材部に設けられ、溶断部を有する導電体と、
前記基材部の端面において前記導電体の端部に接続されている電極部とを備えた回路保護素子であって、
前記導電膜に流れる電流の時間的変化を抑制する突入電流抑制要素を前記基材部に設けたことを特徴とする回路保護素子。
【請求項６】
前記突入電流抑制要素は、前記導電膜と平行に前記基材部内に埋設された導体板であることを特徴とする請求項５記載の回路保護素子。
【請求項７】
前記突入電流抑制要素は、前記基材部内に埋設された２枚の電極板からなるコンデンサであることを特徴とする請求項５記載の回路保護素子。
【請求項８】
絶縁材料で構成された基材部と、
前記基材部に設けられ、溶断部を有する導電体と、
前記基材部の端面において前記導電体の端部に接続されている電極部とを備えた回路保護素子であって、
前記基材部中に前記導電体と前記電極部のそれぞれに非接触の導電部材を設けたことを特徴とする回路保護素子。
【請求項９】
絶縁材料で構成された基材部と、
前記基材部に設けられ、溶断部を有する導電体と、
前記基材部の端面において前記導電体の端部に接続されている電極部とを備えた回路保護素子であって、
前記基材部中に伝熱良導体部材を設けるとともに前記伝熱良導体部材は前記導電体に接触しており、しかも前記伝熱良導体部材は前記導電体と略直交する直交部と前記導電体に沿って設けられた延設部とを有し前記直交部が前記導電体と接触していることを特徴とする回路保護素子。
【請求項１０】
前記伝熱良導体部材は前記溶断部を挟んで一対設けられ、前記各伝熱良導体部の延設部が互いに対向して非接触となっていることを特徴とする請求項９記載の回路保護素子。
【発明の詳細な説明】
【０００１】
【発明の属する技術分野】
本発明は、モータやコンデンサ、ハードディスクドライブ、ＤＶＤドライブ、ゲーム機、携帯電話機などの電気機器、電子機器に用いられ、設定電流以上の電流が流れると金属部が溶断して回路を遮断する回路保護素子に関する。
【０００２】
【従来の技術】
近年の電気機器、電子機器は小型化が進み、電気回路部も小型化、高密度化が要求されている。この中で、漏電や発熱といった予期せぬ事態を未然に防止して安全性を確保するために使用される回路保護素子、いわゆるヒューズも、小型化とともに安全かつ確実に作動すること要請されている。
【０００３】
特に、現在のコンピュータおよび周辺機器には、これまで以上に過電流保護が必要になっている。高速のＩＣチップは非常に過電流の影響を受けやすく、製品の全コストに対して高価である。これらのＩＣチップは、回路の故障や、外部の障害によって生じる過電流から保護する必要がある。
【０００４】
このような過電流保護のために、例えば、特許文献１（特開平１−２８７９０５号公報）には、積層体の層間に内部導体を形成した一体焼結型のインダクタンス素子において、内部導体に、所定以上の電流が流れることにより溶断するヒューズ部を一体的に設けると共に、溶断するヒューズ部の周囲の積層体に空洞部を設けたインダクタンス素子が開示されている。
【０００５】
また、特許文献２（特開平７−１０５８２４号公報）には、複数の耐熱絶縁材料からなる基板の積層により構成された内部に空間を有する本体と、基板間に挟まれた金属薄膜からなる可溶体と、本体の両端に備えられ可溶体と電気的に接続された電極とで構成された超小型チップヒューズが開示されている。
【０００６】
これらの特許文献１および２においては、ヒューズ部（可溶体）の周囲に空洞部（空間）を設けたことにより、ヒューズ部に流れる電流によるジュール熱が効率的にヒューズ部の溶断に作用し、また溶断した金属の粒子が空洞部内で分散して電極間が再接続しないようになる。
【０００７】
【特許文献１】
特開平１−２８７９０５号公報
【特許文献２】
特開平７−１０５８２４号公報
【０００８】
【発明が解決しようとする課題】
ＩＣ等の半導体回路では、瞬間的にも規定以上の電流が流れると破壊する恐れがあるため、ヒューズの遮断特性として速断型が適用される。これに対し、モータ等では、通常は、投入時にのみ瞬間的に規定以上の起動電流が流れ、運転時には電流値が小さくなる。このような機器については、その都度ヒューズが切れると支障があるため、瞬間的に加わる大きな電流については感応せず、継続して規定以上の電流が流れるときのみ感応して巻線の焼損を防止する遅延型のヒューズが適用される。
【０００９】
前掲の（特許文献１）および２に記載された回路保護素子においては、ヒューズ部に突入電流が流れると、ヒューズ部が空間部に浮いており、熱を拡散する機能がないため速断し、遅延型ヒューズとしては適用できないという問題がある。
【００１０】
本発明は、溶断部に流れる瞬間的な突入電流による溶断部の溶断を抑制して、遅延型のヒューズとして適用できる回路保護素子を提供することを目的とする。
【００１１】
【課題を解決するための手段】
本発明の回路保護素子においては、導電膜に流れる過電流により溶断部に発生するジュール熱を放熱する放熱体を設けるか、導電膜に流れる電流の時間的変化を抑制する突入電流抑制要素を設けたものである。
【００１２】
この発明によれば、溶断部に流れる瞬間的な突入電流による溶断部の溶断を抑制して、遅延型のヒューズとして適用できる回路保護素子が得られる。
【００１３】
【発明の実施の形態】
請求項１記載の発明は、絶縁材料で構成された基材部と、前記基材部に設けられ、溶断部を有する導電体と、前記基材部の端面において前記導電体の端部に接続されている電極部とを備えた回路保護素子であって、前記基材部中に伝熱部材を設けるとともに前記伝熱部材を前記導電体に接触させたことを特徴とする回路保護素子であり、突入電流による発熱が伝熱部材により放熱され、その後電流が規定値以下になれば、溶断部が溶断することなく通常の通電状態に戻り、引き続いて規定電流以上の電流が流れ続ければ、溶断部が溶断して機器を保護するという作用を有する。
【００１４】
請求項２記載の発明は、前記導電体の一部は前記基材部中に設けられており、この基材部に挟まれた部分において前記導電体が前記伝熱部材と接触していることを特徴とする請求項１記載の回路保護素子であり、伝熱部材を基材部中に設けることができ、伝熱部材の変形などを抑制できる。
【００１５】
請求項３記載の発明は、前記基材部中に空間部を設け、前記導電体において、前記空間部内に位置する部分に前記溶断部が配置され、前記空間部以外の部分は基材部中に設けられたことを特徴とする請求項２記載の回路保護素子であり、溶断部を空間部に配置することで、溶断特性を向上させることができる。
【００１６】
請求項４記載の発明は、前記空間部内において前記溶断部は湾曲していることを特徴とする請求項３記載の回路保護素子であり、素子に衝撃が加わったとしても、溶断自体が撓んで、衝撃を吸収し、溶断部が衝撃によって破損することを防止できる。
【００１７】
請求項５記載の発明は、絶縁材料で構成された基材部と、前記基材部に設けられ、溶断部を有する導電体と、前記基材部の端面において前記導電体の端部に接続されている電極部とを備えた回路保護素子であって、前記導電膜に流れる電流の時間的変化を抑制する突入電流抑制要素を前記基材部に設けたことを特徴とする回路保護素子であり、突入電流が電極部に流れると、その流れを阻止するように突入電流抑制要素が働き、その後電流が規定値以下になれば、溶断部が溶断することなく通常の通電状態に戻り、引き続いて規定電流以上の電流が流れ続ければ、溶断部が溶断して機器を保護するという作用を有する。
【００１８】
請求項６記載の発明は、前記突入電流抑制要素は、前記導電膜と平行に前記基材部内に埋設された導体板である請求項５記載の回路保護素子であり、導体板には導電膜に流れる電流が定常電流であるときは渦電流は発生しないが、突入電流のような過渡的な電流変動に対しては電磁誘導による渦電流が発生し、導体板で熱としてエネルギーが消費される結果、溶断部に流れる突入電流が抑制され、遅延型の回路保護素子を提供できるという作用を有する。
【００１９】
請求項７記載の発明は、前記突入電流抑制要素は、前記基材部内に埋設された２枚の電極板からなるコンデンサである請求項５記載の回路保護素子であり、コンデンサは定常電流は流さず、電流変化については通過させる性質があるので、導電膜に流れる突入電流がバイパスされる結果、溶断部に流れる突入電流が抑制され、遅延型の回路保護素子を提供できるという作用を有する。
【００２０】
請求項８記載の発明は、絶縁材料で構成された基材部と、前記基材部に設けられ、溶断部を有する導電体と、前記基材部の端面において前記導電体の端部に接続されている電極部とを備えた回路保護素子であって、前記基材部中に前記導電体と前記電極部それぞれと非接触の導電部材を設けたことを特徴とする回路保護素子であり、機器の電源投入時等に短期間に大きな電流が流れる突入電流が発生したとしても、導電体で発生した磁界がこの導電部材を横切ることで導電部材に渦電流が発生し、エネルギーを消費するので、溶断部に投入されたエネルギーが集中するのを防止でき、突入電流などでは溶断しにくい素子を得ることができる。
【００２１】
請求項９記載の発明は、絶縁材料で構成された基材部と、前記基材部に設けられ、溶断部を有する導電体と、前記基材部の端面において前記導電体の端部に接続されている電極部とを備えた回路保護素子であって、前記基材部中に伝熱良導体部材を設けるとともに前記伝熱良導体部材は前記導電体に接触しており、しかも前記伝熱良導体部材は前記導電体と略直交する接続部と前記導電体に沿って設けられた延設部とを有し前記接続部が前記導電体と接触していることを特徴とする回路保護素子であり、この様な構成とすることで、突入電流による発熱が伝熱良導体部材により放熱され、しかも機器の電源投入時等に短期間に大きな電流が流れる突入電流が発生したとしても、導電体で発生した磁界が延設部を横切ることでこの延設部に渦電流が発生し、エネルギーを消費するので、溶断部に投入されたエネルギーが集中するのを防止でき、突入電流などでは溶断しにくい素子を得ることができる。
【００２２】
請求項１０記載の発明は、前記伝熱良導体部材は前記溶断部を挟んで一対設けられ、前記各伝熱良導体部の延設部が互いに対向して非接触となっていることを特徴とする請求項９記載の回路保護素子であり、コンデンサは定常電流は流さず、電流変化については通過させる性質があるので、導電膜に流れる突入電流がバイパスされる結果、溶断部に流れる突入電流が抑制され、遅延型の回路保護素子を提供できるという作用を有する。
【００２３】
以下、本発明の実施の形態について、図１から図１１を用いて説明する。
【００２４】
（実施の形態１）
図１は本発明の実施の形態１に係る回路保護素子の構成を示す図で、（ａ）は透視図、（ｂ）は断面図、図２は本発明の実施の形態１におけるグリーンシートの構成を示す分解斜視図、図３は本発明の実施の形態１における他の回路保護素子の導電膜を示す斜視図、図４は本発明の実施の形態１に係る回路保護素子の製造工程を示すフローチャート、図５は本発明の実施の形態１における導電膜の形成工程を示す工程図である。
【００２５】
図１において、回路保護素子１Ａは、セラミック材料からなる基材部２と、基材部２の内部に形成された空間部２ａの内部に溶断部３ａが収納された導電膜３と、基材部２の両端において導電膜３の両端に導通するように形成された電極部４と、放熱体としてのフィン５から構成されている。
【００２６】
基材部２の材料としては、導電膜３の材質をＡｇとしたとき、Ａｇの融点約９６１℃よりも低い温度（約９００℃）で焼結するＡｌ−Ｓｉ−Ｂ系の低温焼結セラミックス、フェライト系セラミックス、ＢａＴｉＯ３系、ＣａＴｉＯ３系、ＳｎＴｉＯ３等の誘電体材料、ガラスエポキシ樹脂等を使用することができる。
【００２７】
導電膜３の材料も、Ａｇのほか、Ｃｕ，Ｎｉ，Ａｌ合金等の導電材料が使用できる。なお、本実施の形態では、溶断部３ａを構成する部分は導電膜３という膜状体としたが、ある程度の可撓性を有する板状体，線状体，シート状体などの導電体を用いても良い。
【００２８】
図１に示す構造の回路保護素子１Ａは、基本的には、図２に示すように５枚のグリーンシート（薄板状に成形したセラミックスの未焼成体であり、セラミックス原料粉末、有機結合剤、可塑剤、溶剤などの混合スラリをドクターブレード法またはカレンダー法で薄板状に成形したもの）１１〜１５を積層して製造する。グリーンシート１１は、中央部に所定形状の穴１１ａを形成したものであり、グリーンシート１２はスルーホール１２ａを予め形成した上に導電膜３を形成したものであり、グリーンシート１４はスルーホール１４ａを設けたものであり、グリーンシート１３は必要に応じて印刷１３ａを施したプレーンの板であり、グリーンシート１５は回路保護素子１Ａの下層となるプレーンの板である。このとき、スルーホール１２ａ，１４ａ中に金属などの導電性の材料を埋め込み更にその各スルーホール中に設けられた導電性の材料同士を電気的に接合させる。更に、その導電性の材料は、スルーホール１２ａを形成したグリーンシート１２上の導電膜３と電気的に接続され、フィン５が形成されることになる。
【００２９】
フィン５は、図１（ｂ）に示すように溶断部３ａとなる部分以外の部分において導電膜３と接触している。すなわち、図１（ａ），（ｂ）に示す構成では、溶断部３ａを空間部２ａ中に設けているので、フィン５は、導電膜３が基材部２に挟まれた部分に設けられている。スルーホール１２ａ，１４ａの形状は、断面円形や断面多角形状や、角錐型、円錐型などの形を採用可能であり、なお、グリーンシート１４に設けるスルーホール１４ａの代わりに有底の穴や溝を設けることにより、グリーンシート１５を省略することもできる。有底穴の具体的形状としては断面円形や断面多角形状のものや、角錐型、円錐型などの形を採用可能であり、溝の場合にも同様に断面多角形状や断面円形状のものが採用可能である。
【００３０】
本実施の形態の場合、図１（ｂ）に示すように溶断部３ａを挟んで導電膜３が基材部２に埋設された部分にそれぞれ２カ所ずつフィン５を設けた。この場合、フィン５は断面が円形の有底穴の中に銅，銀などの金属を埋め込んだ構成とした。なお、本実施の形態では、溶断部３ａを挟んでそれぞれ２カ所ずつフィン５を設けたが、それぞれ１カ所でも良いし、それぞれ３カ所以上設けても良い。更に、溶断部３ａを挟んでそれぞれ同一数のフィン５を設けたが、仕様などによっては、一方の側にフィン５を３カ所設け、他方に２カ所設けるなどの異なる数を設けても良いし、溶断部３ａを挟んで一方の側のみにフィン５を設けても良い。
【００３１】
また、本実施の形態では、溶断部３ａを挟んでそれぞれ有底穴に金属などの熱伝導部材を埋め込んだ構成としてが、溶断部３ａを挟んで一方を有底穴形状のフィン５とし、他方を溝状のフィン５としても良い。
【００３２】
以上の様に、フィン５を設けることで、機器への電源投入時に発生する可能性のある瞬間的な異常電流（突入電流）によって溶断部３ａが発熱しても、その熱はフィン５を伝わって、回路保護素子１Ａの、より多くの部分に熱を逃がすことができる。従って、電源投入時などの時には、溶断部３ａは溶断しにくく、通常の使用時に生じる異常電流が所定時間以上連続した場合、溶断させることができる。
【００３３】
なお、本実施の形態では、溶断部３ａを基材部２の空間部２ａ内に設けた構成であるので、フィン５は溶断部３ａ以外の部分に接触させたが、絶縁性の板状基板上に溶断部３ａを設けた導電膜３を備えたプレート型の回路保護素子（時には、導電膜を覆うようにカバーがなされる）の場合には、溶断部３ａやその他の部分にフィン５を接触させても良い。すなわち図３（ａ）に示すように、溶断部３ａとなる中央部分に板状のフィンを取り付けたり、或いは図３（ｂ）に示すように柱状のフィン５を立設させ、この場合においても、フィン５は、できれば基材部２中に埋設させることが好ましい。
【００３４】
なお、図２には、回路保護素子１Ａの１個分の構成を示しているが、実際には、広いグリーンシートに多数個分を同時に形成して途中で回路保護素子単体に切断する。
【００３５】
以下、図４および図５を用いて、本回路保護素子１Ａの製造方法を説明する。
【００３６】
ステップＳ１：まず、グリーンシートを所定の寸法に切断する。
【００３７】
ステップＳ２：グリーンシート１１については穴開けを行う。穴の形状は、図示の四角形に限らず、円形、その他の任意の形状でもよい。
【００３８】
ステップＳ３：グリーンシート１３については、必要に応じて印刷を行う。
【００３９】
ステップＳ４：グリーンシート１２については写真工程を行う。すなわち、図５（ａ）に示すようにステンレス等のベース板２０にレジスト２１を塗布し、その上に図５（ｂ）に示すようにマスク２２を載せる。次いで、図５（ｃ）に示すように紫外線露光を行い、マスク２２のかかっていない部分のレジスト２１を除去する。次に、マスク２２を除去する。
【００４０】
ステップＳ５：図５（ｅ）に示すようにステンレスのベース板２０にメッキによりＡｇ２３を析出させる。次いでレジスト２１を除去すると、図５（ｆ）に示すように所定のパターンのＡｇ２３の膜がベース板２０上に形成される。このベース板２０上に形成されたＡｇ２３を図５（ｇ）に示すようにグリーンシート１２上に載せ、押し付けると、グリーンシート１２上にＡｇ２３がめり込んだ状態に転写され、導電膜３が形成される。この工程で、図２および図３に示したフィン５を取り付けるためのスルーホールの形成、金属の埋め込み等を行う。
【００４１】
ステップＳ６：以上のように形成されたグリーンシート１３，１１，１２、１４、１５を所定の圧力を掛けて積層し、一体化する。
【００４２】
ステップＳ７：各グリーンシート１１〜１５には多数個分の回路保護素子用のチップが形成されているので、これを１個ずつ分に切断する。
【００４３】
ステップＳ８：電気炉に入れて、例えばＡｇ２３の融点より低い９００℃で焼成する。この焼成の過程で、グリーンシート１１〜１５の素材は約２０％ほど、体積が収縮する。導電膜３はＡｇ２３であり、収縮しないので、相対的に導電膜３が空間部内において伸びて湾曲した状態の溶断部３ａが形成される。
【００４４】
ステップＳ９：冷却工程後、電気炉から取り出し、容器内で所定時間撹拌すると、各回路保護素子用のチップの角が取れて面取りされる。この面取りは、後の工程で回路保護素子用のチップを搬送する際に、引っかかりをなくすために必要な工程である。
【００４５】
ステップＳ１０：チップの両端から露出している導電膜３の端部に電極材、例えば銀ペーストを、塗布し、その表面にＮｉメッキを施して外部電極を形成する。
【００４６】
ステップＳ１１：外部電極の表面に半田コートによる仕上げ塗布を行う。
【００４７】
ステップＳ１２：出来上がった回路保護素子の各種特性の測定を行う。
【００４８】
以上のようにして、図１に示す回路保護素子１Ａが得られる。
【００４９】
なお、空間部２ａの高さを高くしたい場合は、穴１１ａを設けたグリーンシート１１を２枚以上積層すればいい。
【００５０】
なお、本実施の形態においては、空間部２ａ内において溶断部３ａが湾曲するような構成としたが、湾曲しない構造のものにもフィン５を設けることができる。
【００５１】
（実施の形態２）
図６〜図８は本発明の実施の形態２に係る回路保護素子１Ｂの構成を示すものであり、図６（ａ）は透視図、（ｂ）は断面図、図７は製造工程を示す分解斜視図、図８は本発明の実施の形態２における他の回路保護素子の導電膜を示す斜視図である。この実施の形態２は、導電膜３に流れる電流の時間的変化を抑制する突入電流抑制要素として、導体板６を導電膜３と平行に基材部２内に埋設したものである。
【００５２】
なお、本実施の形態では、導体板６等の板状の良導体を用いたが、シート状体のものや、鍍金等で構成された膜状体のものでよい。更に、この導体板６はアルミ，銅などの金属で構成することが好ましい。また、本実施の形態では、この導体板６は電極部４や導電膜３等とは電気的に非接触となっている。すなわち、導体板６は基材部２に設けられるが、他の部材とは電気的に接続されていない。
【００５３】
この構造の回路保護素子１Ｂを製造するためには、図７に示すように、基本的には３枚のグリーンシート１１〜１３を用いる。グリーンシート１１は穴１１ａを形成したものであり、グリーンシート１３は必要に応じて印刷１３ａとそれとは電気的に非接触状態にある導電体６を施したプレーンのシートである。
【００５４】
これらを積層し、前述の図４の工程を適用することで、図６に示す回路保護素子１Ｂが得られる。
【００５５】
以上の様に導体板６を用いることによって、機器への電源投入時に発生する可能性ある瞬間的な異常電流（突入電流）が発生しても、溶断しにくくできる。
【００５６】
すなわち、突入電流によって導電膜３の周りに磁界が発生するが、この磁界が導体板６に入り込んで導体板６に渦電流を発生させ、エネルギーを導体板６で熱などの形で消費できるので、素子への投入エネルギーを溶断部３ａに集中しない構成とできる。すなわち、急激な電流変化を短時間に伴う突入電流によって溶断部３ａは溶断しにくいが、急激な電流変化が短時間で生じにくい通常動作中は、所定の時間異常電流が流れると、溶断部３ａは溶断する。従って、遅延型の回路保護素子を得ることができる。
【００５７】
なお、最も好ましくは、図８（ａ），（ｂ）に示すように導体板６の配置位置を導電膜３で発生する磁界が最も横切りやすい、導電膜３の両側部に導体板６を設けること、すなわち、導電膜３が設けられた面と略同一面内に導体板６を設けることが好ましい。この実施の形態の場合、導電膜３と導体板６は一体に形成することで、導体板６を放熱用のフィンの役目も担わせることができる。更に、導電膜３と導体板６を略同一平面内に設ける構成とすることで、導電膜３と導体板６を同一工程で製造でき、生産性をも向上させることができる。この時、導電膜３を膜の転写で構成する場合には、当然導電膜３と導体板６は転写された膜で構成され、導電膜３を板状体で構成する場合には、当然導電膜３と導体板６は板状体で構成される。更に、図８（ａ），（ｂ）に示す実施の形態では、導電膜３と導体板６を接続させた構成としたが、非接続構成とすることもできる。図８（ａ）は溶断部３ａを含む狭幅部のほぼ全側方に渡って導体板６が長く配置されており、図８（ｂ）は狭幅部の内でも特に溶断部３ａとなる部分の側方に円形状に導体板６が設けられている。
【００５８】
また、図８（ａ），（ｂ）の実施の形態の場合、導電膜３の両側方に導体板６を設けたが、仕様などによっては一方の側方にのみに導体板６を設けても良い。
【００５９】
（実施の形態３）
図９〜図１１は本発明の実施の形態３に係る回路保護素子１Ｃの構成を示すものであり、図９（ａ）は透視図、（ｂ）は断面図、図１０は製造工程を示す分解斜視図、図１１は本実施の形態における他の回路保護素子の導電膜を示す斜視図である。この実施の形態３は、導電膜３に流れる電流の時間的変化を抑制する突入電流抑制要素として、基材部２内に埋設された２枚の電極板７，８からなるコンデンサとしたものである。電極板７，８は端部が電極部４により接続されている。
【００６０】
この構造の回路保護素子１Ｃを製造するためには、図１０に示すように、基本的には５枚のグリーンシート１１，１２，１３，１６，１７を用いる。グリーンシート１１は穴１１ａを形成したものであり、グリーンシート１２は図５の工程で導電膜３を形成したものであり、グリーンシート１６，１７はシート材の上に電極板７，８を形成したものであり、グリーンシート１３は必要に応じて印刷１３ａを施したプレーンのシートである。
【００６１】
これらを積層し、前述の図４の工程を適用することで、図９に示す回路保護素子１Ｃが得られる。
【００６２】
電極板７，８としては、銅、アルミ等の良導電体の板，シートないし膜を使用することができる。これらの電極板７，８の端部が電極部４の形成時に両側の電極部４にそれぞれ接続されることにより、２つの電極板７，８によるコンデンサが形成される。
【００６３】
なお、電極板７，８は素子の端面における電極部４とそれぞれ接合されており、この構成によって、コンデンサは定常電流は流さず、電流変化については通過させる性質があるので、導電膜３に流れる突入電流がバイパスされる結果、溶断部３ａに流れる突入電流が抑制され、遅延型の回路保護素子を提供できる。また、電極板７，８は溶断部３ａの近傍に設けられているので、突入電流の際に発生する磁界がその電極板７，８を横切るので、電極板７，８に渦電流が発生してエネルギーを溶断部以外で消費できる。
【００６４】
また、図１１（ａ），（ｂ）に示すように電極板７，８を電極部４と接合させずに、導電膜３に直接接合させることで、上記コンデンサの作用に加えて更に図１に示す放熱用のフィンの効果をも持たせることができる。具体的には、図１１（ｂ）に示すようにグリーンシート１２にスルーホール１００を設け更にグリーンシート１６にスルーホール１０１を設ける。この時スルーホール１００，１０１中に金属などの導電性の材料を埋め込み更にその各スルーホール中に設けられた導電性の材料同士を電気的に接合させる。更に、スルーホール１０１のグリーンシート１７上の電極板７と電気的に接続され、結果的に電極板７と導電膜３の一方の端部が電気的に接続されることになる。また同様にグリーンシート１２にスルーホール１０２を設け、そのスルーホール１０２中に金属などの導電性材料を埋め込むことで、電極板８と導電膜３が電気的に接続される。
【００６５】
図１１（ａ）で示される導電膜３に接続され導電膜３に略垂直に設けられている接続部７ａ，８ａは前述の各スルーホール１００〜１０２の中に埋設された導電性材料で構成され、導電膜３に対して略平行にしかも互いに対向するように延設部７ｂ，８ｂが設けられている。すなわち、この実施の形態の場合、電極板７，８はそれぞれ接続部と延設部で構成される。
【００６６】
【発明の効果】
以上のように本発明によれば、導電膜に流れる過電流により溶断部に発生するジュール熱を放熱する放熱体を設けたことにより、突入電流による発熱が放熱体により放熱され、その後電流が規定値以下になれば、溶断部が溶断することなく通常の通電状態に戻る。これにより、遅延性能に優れた回路保護素子を得ることができる。
【００６７】
また、導電膜に流れる電流の時間的変化を抑制する突入電流抑制要素を基材部に設けたことにより、突入電流が電極部に流れると、その流れを阻止するように突入電流抑制要素が働き、その後電流が規定値以下になれば、溶断部が溶断することなく通常の通電状態に戻る。これにより、遅延性能に優れた回路保護素子を得ることができる。
【００６８】
更に、突入電流抑制要素を、導電膜と平行に基材部内に埋設された導体板としたことにより、導体板には導電膜に流れる電流が定常電流であるときは渦電流は発生しないが、突入電流のような過渡的な電流変動に対しては電磁誘導による渦電流が発生し、導体板で熱としてエネルギーが消費される結果、溶断部に流れる突入電流を抑制することができる。これにより、遅延性能に優れた回路保護素子を得ることができる。
【００６９】
また、突入電流抑制要素を、基材部内に埋設された２枚の電極板からなるコンデンサとしたことにより、導電膜に流れる突入電流はコンデンサによりバイパスされる結果、溶断部に流れる突入電流を抑制することができる。これにより、遅延性能に優れた回路保護素子を得ることができる。
【図面の簡単な説明】
【図１】本発明の実施の形態１に係る回路保護素子の構成を示す図
【図２】本発明の実施の形態１におけるグリーンシートの構成を示す分解斜視図
【図３】本発明の実施の形態１における他の回路保護素子の導電膜を示す斜視図
【図４】本発明の実施の形態１に係る回路保護素子の製造工程を示すフローチャート
【図５】本発明の実施の形態１における導電膜の形成工程を示す工程図
【図６】本発明の実施の形態２に係る回路保護素子の構成を示す図
【図７】本発明の実施の形態２におけるグリーンシートの構成を示す分解斜視図
【図８】本発明の実施の形態２における他の回路保護素子の導電膜を示す斜視図
【図９】本発明の実施の形態３に係る回路保護素子の構成を示す図
【図１０】本発明の実施の形態３におけるグリーンシートの構成を示す分解斜視図
【図１１】本発明の実施の形態３における他の回路保護素子の導電膜を示す斜視図
【符号の説明】
１Ａ，１Ｂ，１Ｃ  回路保護素子
２  基材部
２ａ  空間部
３  導電膜
３ａ  溶断部
４  電極部
５  フィン
６  導体板
７，８  電極板
１１〜１７  グリーンシート
１１ａ  穴
１２ａ  スルーホール
１３ａ  印刷
１４ａ  スルーホール
２０  ベース板
２１  レジスト
２２  マスク
２３  Ａｇ
１００，１０１，１０２  スルーホール
【図１】
2004158377.tif 000003
【図２】
2004158377.tif 000004
【図３】
2004158377.tif 000005
【図４】
2004158377.tif 000006
【図５】
2004158377.tif 000007
【図６】
2004158377.tif 000008
【図７】
2004158377.tif 000009
【図８】
2004158377.tif 000010
【図９】
2004158377.tif 000011
【図１０】
2004158377.tif 000012
【図１１】
2004158377.tif 000013